【事件の表示】
　特願２００２−２２８５９８「映像表示装置」拒絶査定不服審判事件〔平成１６年　３月　４日出願公開、特開２００４−　７２３８６、請求項の数（４）〕について、次のとおり審決する。
【結　論】
　原査定を取り消す。
　本願の発明は、特許すべきものとする。
【理　由】
１．経緯  
（１）手続  
　本願は、平成１４年８月６日の出願である。  
　本件は、本願についてされた拒絶査定（平成１８年１月６日付け）を不服とする平成１８年２月１５日の請求である。
 　  
（２）査定  
　原査定の理由は、概略、下記のとおりである。  
　　　　　　記（査定の理由）  
　本願の請求項１から請求項４までに係る発明は、下記刊行物に記載された発明に基づいて当業者が容易に発明をすることができたものであるから、特許法第２９条第２項の規定により、特許を受けることができない。  
　　　　　　記  
　刊行物１：特開平１０−２３３５５号公報  
　刊行物２：特開２００２−１１６５０３号公報  
 　  
２．本願発明  
　本願の請求項１から請求項４までに係る発明（本願各発明ともいう）は、本願明細書及び図面（平成１７年１１月７日付け手続補正書により補正された明細書及び図面）の記載からみて、それぞれ、その特許請求の範囲の請求項１から請求項４までに記載した下記の事項により特定されるとおりのものと認める。  
　　　　　　記（特許請求の範囲）  
　　【請求項１】
　冷却ファンを用いて、筐体内部を通風することにより、筐体内部の昇温を抑制する映像表示装置であって、
　当該装置が上下反転設置されたことを検出する検出手段と、
　前記検出手段の検出出力に基づいて、前記冷却ファンの駆動を制御し、前記通風方向を筐体内部における昇温空気の対流方向に対して順方向に変更する制御手段とを備えたことを特徴とする映像表示装置。
　　【請求項２】
　前記請求項１に記載の映像表示装置において、
　前記冷却ファンは前記筐体に形成された通気孔或いはその近傍に配置された可逆ファンであり、
　前記制御手段は、前記冷却ファンの回転方向を可変制御するものであることを特徴とする映像表示装置。
　　【請求項３】
　前記請求項１に記載の映像表示装置において、
　前記冷却ファンは前記筐体に形成された通気孔或いはその近傍に配置されて送風方向が逆とされている複数の不可逆ファンであり、
　前記制御手段は、前記複数の冷却ファンの各々に対して、その駆動／停止を可変制御するものであることを特徴とする映像表示装置。
　　【請求項４】
　前記請求項１に記載の映像表示装置において、
　前記映像表示装置はフラットパネル表示装置であり、
　前記筐体は、フラットパネルを含む構成部材を収容する前面キャビネットと前記構成部材用の駆動回路基板を含み複数の通気孔が形成されている裏面キャビネットとを備え、
　前記冷却ファンによる通風は前記裏面キャビネット内で行われることを特徴とする映像表示装置。
 　 
３．当審の判断  
（１）本願各発明について  
　（ａ）査定で引用された上記各刊行物のいずれにも、本願各発明が備える下記主要構成は記載されていない。また、各刊行物を組み合わせても、同主要構成を導くことはできない。
　　　　　　記（本願各発明の主要構成）
　冷却ファンの駆動を制御し、通風方向を筐体内部における昇温空気の対流方向に対して順方向に変更すること
　
　（ｂ）効果等
　本願各発明は、下記主要構成を備えることにより、本願明細書に記載した「設置状態に応じて、冷却ファンによる筐体内部の通風方向を可変することにより、常に効率的な冷却効果を得ることが可能となる。」（段落【００３４】）等の顕著な効果を奏するものと認められる。
　
　（ｃ）結論
　以上によれば、本願各発明は、査定で引用された各刊行物に記載された発明に基づいて当業者が容易に発明をすることができたものであるとすることはできない。
　 　  
（２）引用刊行物の記載等について  
　以下、各刊行物の記載について見ておく。  
　（ａ）刊行物１（特開平１０−２３３５５号公報)  
　（ａ１）刊行物１には、「液晶プロジェクタにおけるランプ冷却方法及び液晶プロジェクタ」に関し、図面と共に次に掲げる事項が記載されている。
　　「上下反転して設置することができる液晶プロジェクタのメタルハライドランプの放電アークの偏りにより発生する高温部分の冷却は、上下反転を利用した自重により送風位置を切り替えるようにしたので、どちらの方向に設置しても、常にメタルハライドランプの発光管管面の高温部分を冷却することができるようになる。」（段落【００１５】）
　　「冷却ファン２５による筐体１６内部の空気は格子部２４を介して大部分が筐体１６の外側方向に排出されるが、冷却ファン２５からの一部分の空気は格子部２４にあたり、図３において左方向に流れてダクト部２１の空気流入口２６に入り、循環風となって、ダクト部２１内を通り空気排出口２８から排出される。この空気排出口２８からの循環風は光源部１９のメタルハライドランプ１にあたり発光管４を冷却する。」（段落【００３０】）
　　「このように遮蔽板２９の自重でスライドさせて送風位置を切り替えて、メタルハライドランプ１を冷却する構造を備えた、いわゆる床置き及び天吊り状態で設置できる液晶プロジェクタ１５は、どちら側に設置されていても常に発光管４の管面４ａ（、４ｂ）の高温部分を冷却することができる。」（段落【００３１】）
　（ａ２）上記記載によれば、刊行物１には、上下反転して設置することができる液晶液晶プロジェクタにおいて、床置き及び天吊り状態のどちらで設置されても上下反転を利用した自重により冷却ファンからの冷却空気の送風位置を切り替え常に発光管の管面の高温部分を冷却することは記載されているものの、その筐体内における冷却空気の流れ方向は専ら水平方向であり、本願各発明のように筐体内部の昇温空気の対流方向に対して常に順方向に通風することは全く予定していない。すなわち、本願各発明の上記主要構成については記載がなく示唆もない。
　
　（ｂ）刊行物２（特開２００２−１１６５０３号公報)  
　（ｂ１）刊行物２には、「プロジェクタ」に関し、図面と共に次に掲げる事項が記載されている。  
　　「本実施形態のプロジェクタは、冷却風の流れる向きを反転するための手段として、電気的に冷却ファンの回転方向を逆転させる制御手段を備えている。プロジェクタが上下反転して使用される際には、この制御手段によって冷却ファン９ａ，９ｂの回転方向を逆転させ、冷却風の流れる向きを反転している。これにより、プロジェクタが上下反転して使用される際においても、冷却ファン９ａが上方から下方に向かって冷却風を吹き付け、さらに、冷却ファン９ｂが上方から下方に向かって冷却風を引き抜くことにより、変調装置３Ｒ，３Ｇ，３Ｂ、入射側偏光板６Ｒ，６Ｇ，６Ｂ、射出側偏光板７Ｒ，７Ｇ，７Ｂ、冷却器８Ｒ，８Ｇ，８Ｂが冷却される。」（段落【００４４】）
　　「冷却液を有する冷却器を上方から下方に向かって流れる冷却風で冷却するため、温度の高い冷却器の上部を下部よりも積極的に冷やすことができ、内部の温度分布の差が小さい状態で、変調装置や偏光手段の温度上昇を抑制することができる。」（段落【００５０】）
　（ｂ２）上記記載によれば、刊行物２には、プロジェクタが上下反転して使用される際には、冷却ファンの回転方向を逆転させ、冷却風の流れる向きを反転することは記載されているものの、その冷却ファンは、温度の高い冷却器の上部を下部よりも積極的に冷やすため専ら上方から下方に向かって冷却風を吹き付けるもので昇温空気の対流方向とは逆の方向に冷却空気を送ろうとするものであり、本願各発明のように筐体内部における昇温空気の対流方向に対して常に順方向に通風することは全く予定していない。すなわち、本願各発明の上記主要構成については記載がなく示唆もない。
　
（ｃ）刊行物の組み合わせ
　各刊行物のいずれにも、本願各発明の上記主要構成について記載も示唆もないのであるから、各刊行物を組み合わせても、上記主要構成を導くことはできない。 
　
４．むすび  
　以上のとおりであるから、本願の請求項１から請求項４までに係る発明は上記各刊行物に記載された発明に基づいて当業者が容易に発明をすることができたものである、という原査定の理由によっては本願を拒絶することはできない。  
　また、他に本願を拒絶すべき理由を発見しない。  
　よって、結論のとおり審決する。